(57)【特許請求の範囲】
【請求項１】
シャシフレームに固設されたキャブマウントブラケットに車両の前後方向に回動可能に軸支したリンクレバーを介してキャブを前傾可能としたキャブティルト機構において、
前記キャブマウントブラケットに形成されている前記リンクレバーの先端が当接する当接部にキャブの前傾角度を増減調節するストッパ部材を着脱可能に設けたことを特徴とするキャブティルト機構。
【請求項２】
シャシフレームに固設されたキャブマウントブラケットに車両の前後方向に回動可能に軸支したリンクレバーを介してキャブを前傾可能とし、前記キャブマウントブラケットと前記リンクレバーとを連結しキャブの前傾角度を規制する屈伸リンクレバーを備えたティルト機構において、
前記屈伸リンクレバーの屈伸連結点をピンによって屈伸リンクレバー比を変更可能とし、キャブの前傾角度を増減調節するようにしたことを特徴とするキャブティルト機構。
【発明の詳細な説明】
【０００１】
【発明の属する技術分野】
本発明は、キャブの前傾角度を増減可能にしたキャブティルト機構に関するものである。
【０００２】
【従来の技術】
従来の一般的なキャブティルト機構は図５で示すように、シャシフレーム１に固設されたキャブマウントブラケット２に車両の前後方向に回動可能に軸４によって軸支したリンクレバー３を介してキャブを前傾可能とした構造である。
【０００３】
【発明が解決しようとする課題】
上記従来のティルト機構におけるキャブの前傾角度は、キャブマウントブラケットに形成されている当接部６に当接するリンクレバー３の先端の傾斜面５によって前傾角度θ１に規制するようになっている。エンジンの重整備等でキャブの前傾角度θ１より大きなオーバティルトして作業性をよくしたいことがあるが、従来の機構では前傾角度θ１で制約されており作業性の問題があった。
【０００４】
本発明の目的は、キャブを在来の前傾角度と、それ以上の前傾角度とに増減調節を可能とし、作業性を向上したティルト機構を提供することである。
【０００５】
【課題を解決するための手段】
上記の目的を達成するため本発明は、シャシフレームに固設されたキャブマウントブラケットに車両の前後方向に回動可能に軸支したリンクレバーを介してキャブを前傾可能としたキャブティルト機構において、前記キャブマウントブラケットに形成されている前記リンクレバーの先端が当接する当接部にキャブの前傾角度を増減調節するストッパ部材を着脱可能に設けたことを特徴とするものである。
【０００６】
また、シャシフレームに固設されたキャブマウントブラケットに車両の前後方向に回動可能に軸支したリンクレバーを介してキャブを前傾可能とし、前記キャブマウントブラケットと前記リンクレバーとを連結しキャブの前傾角度を規制する屈伸リンクレバーを備えたティルト機構において、前記屈伸リンクレバーの屈伸連結点をピンによって屈伸リンクレバー比を変更可能とし、キャブの前傾角度を増減調節するようにしたことを特徴とするものである。
【０００７】
【発明の実施の形態】
以下本発明の実施の形態を図面に基づいて説明する。図１は本発明の第１実施形態を示すものである。この図１において、１はシャシフレームであり、前記シャシフレーム１に固設されたキャブマウントブラケット２に車両の前後方向に回動可能に軸４によって軸支したリンクレバー３を介してキャブを前傾可能としている。前記キャブマウントブラケト２には当接部６が形成されており、この当接部６にリンクレバー３の先端の傾斜面５が当接して前記キャブの前傾角度を規制するようになっている。
【０００８】
そこで本発明は、前記当接部６の当接面を従来の位置よりも下方に下げて形成し、この当接部６上にストッパ部材７をボルト８によって着脱可能に設けたものである。
【０００９】
前記ストッパ部材７は、当接部６上に装着したときキャブの前傾角度が在来の前傾角度θ１で規制する厚みである。
【００１０】
上記第１実施形態の構造では、図１で示すように、ストッパ部材７を当接部６に装着した状態ではリンクレバー３の先端の傾斜面５が当接するキャブの前傾角度は在来の前傾角度θ１で規制する。
【００１１】
キャブを前記在来の前傾角度θ１以上の角度で前傾してエンジンの重整備等の作業を必要とするときは、図２で示すように、ストッパ部材７を当接部６から取り外すことにより、リンクレバー３の先端の傾斜面５は直接当接部材６に当接し、前傾角度θ１＋θ２の角度で増大する。
【００１２】
図３は本発明の第２実施形態を示すものである。この第２実施形態のキャブティルト機構は、キャブマウントブラケット２に車両の前後方向に回動可能に軸４により軸支したリンクレバー３を介してキャブを前傾可能とし、前記キャブマウントブラケット２と前記リンクレバー３とを第１リンク９と第２リンク１０とがピン１１で屈伸可能に連結しキャブの前傾角度を規制する屈伸リンクレバーを備えた構造のものである。
【００１３】
このようなキャブティルト機構において、図４にも示すように、前記第２リンク１０の下方を延長し、この延長端にピン穴１２を設けたものである。
【００１４】
上記第２実施形態の構造では、図３及び図４で示すように、上方のピン穴によって第１リンク９と第２リンク１０とをピン１１で連結している状態では、キャブの前傾時は屈伸する第１リンク９と第２リンク１０において、上方のピン穴を連結点とする第１リンク９と第２リンク１０のレバー比により在来の前傾角度で規制される。つまり、上方のピン穴を連結点とする第１リンク９と第２リンク１０が一直線に伸長した最大長さによる第１リンク９と第２リンク１０の長さの和によりキャブは在来の前傾角度で規制される。
【００１５】
キャブを前記在来の前傾角度以上の角度で前傾してエンジンの重整備等の作業を必要とするときは、下方のピン穴１２によって第１リンク９と第２リンク１０とをピン１１で連結して第２リンク１０の連結点を変更する。これにより、下方のピン穴１２を屈伸連結点とする第１リンク９と第２リンク１０のレバー比により在来の前傾角度以上の前傾角度に増大して規制される。すなわち、ピン１１による第１リンク９と第２リンク１０の屈伸連結点を下方のピン穴１２に変更することにより、第１リンク９と第２リンク１０が一直線に伸長した最大長さによる第１リンク９と第２リンク１０の長さの和は上方のピン穴から下方のピン穴１２までの距離だけ長くなり、それだけキャブは在来の前傾角度以上の前傾角度に増大して規制される。
【００１６】
【発明の効果】
以上述べたように本発明によると、第１及び第２実施形態の何れにおいても、従来のキャブティルト機構を大幅に設計変更することなく、簡単な改良構造によってキャブの前傾角度を増減調整することができ、エンジン点検等の作業性を向上する利点を有している。
【図面の簡単な説明】
【図１】本発明の第１実施形態の側面図
【図２】本発明の第１実施形態の前傾角度を増大した側面図
【図３】本発明の第２実施形態の側面図
【図４】本発明の第２実施形態の要部拡大図
【図５】従来機構の側面図
【符号の説明】
１      シャシフレーム
２      キャブマウントブラケット
３      リンクレバー
４      軸
５      傾斜面
６      当接部
７      ストッパ部材
８      ボルト
９      第１リンク
１０    第２リンク
１１    ピン
１２    ピン穴
【図１】
0003789647.tif 000002
【図２】
0003789647.tif 000003
【図３】
0003789647.tif 000004
【図４】
0003789647.tif 000005
【図５】
0003789647.tif 000006